(57)【要約】【課題】  運用者の操作を極力減らして運用負荷を低減し、運用者の人数を少なくすることによる人件費の削減や運用者の操作ミスによる放送事故をなくすことが可能な自動番組制御装置を提供する。【解決手段】  自動マルチ接続手段１７は時計装置３から１秒毎に起動されると、操作卓４のサービス（１〜ｎ）自動マルチ接続ボタン４１−１〜４１−ｎのＯＮ／ＯＦＦ情報を読込み、ＯＮ状態であれば、時計装置３から読込んだ現在時刻に自動マルチ接続時間設定画面５１で設定された時間を加算して自動マルチ接続時刻を求める。自動マルチ接続手段１７はマルチ接続照合データ記憶部１８からのサービス１のマルチ接続照合データの放送時刻と自動マルチ接続時刻とを照合し、マルチ接続照合データに同じ時刻のイベントがあれば、そのイベントのマルチ接続番号を取得してマルチ接続手段１２に指定し、マルチ接続を行う。【選択図】      図１
2006270277.tif 000002
【特許請求の範囲】
【請求項１】
予め入力された番組プログラムデータに示された放送時刻と放送機器とによって前記放送時刻に前記放送機器を制御して放送を行う装置において、終了時刻が不確定な放送に対応するためにマルチ接続を行う自動番組制御装置であって、
前記マルチ接続を自動で行うよう外部から指示されている時に前記マルチ接続を行うためのマルチイベントで指定された放送時刻に前記マルチ接続を行う接続手段を有することを特徴とする自動番組制御装置。
【請求項２】
前記マルチ接続を自動で行うよう指示するスイッチ手段を含むことを特徴とする請求項１記載の自動番組制御装置。
【請求項３】
前記マルチ接続を行うかを判定するためのマルチ接続照合データを前記番組プログラムデータから生成する生成手段と、前記生成手段で生成された前記マルチ接続照合データを記憶する記憶手段と、前記マルチ接続を自動で行うよう外部から指示されている時に前記記憶手段から読出した前記マルチ接続照合データと現在時刻とを照合して前記マルチイベントの有無を判定する手段とを含み、
前記接続手段は、前記マルチイベントがあると判定された時に前記マルチ接続を行うことを特徴とする請求項１または請求項２記載の自動番組制御装置。
【請求項４】
前記生成手段は、前記番組プログラムデータを構成するイベント毎に前記マルチ接続を行うためのマルチイベントかどうかを判断する手段と、前記マルチイベントと判断された時にその放送時刻と前記マルチ接続を特定する情報とをマルチ接続照合データ記憶手段に格納する手段とを含むことを特徴とする請求項３記載の自動番組制御装置。
【請求項５】
予め入力された番組プログラムデータに示された放送時刻と放送機器とによって前記放送時刻に前記放送機器を制御して放送を行う装置において、終了時刻が不確定な放送に対応するためにマルチ接続を行う自動番組制御装置に用いる自動マルチ接続方法であって、前記自動番組制御装置が、前記マルチ接続を自動で行うよう外部から指示されている時に前記マルチ接続を行うためのマルチイベントで指定された放送時刻に前記マルチ接続を行う接続処理を実行することを特徴とする自動マルチ接続方法。
【請求項６】
前記マルチ接続を自動で行うようスイッチ手段にて指示されることを特徴とする請求項５記載の自動マルチ接続方法。
【請求項７】
前記自動番組制御装置が、前記マルチ接続を行うかを判定するためのマルチ接続照合データを前記番組プログラムデータから生成する生成処理と、その生成された前記マルチ接続照合データを記憶手段に記憶する処理と、前記マルチ接続を自動で行うよう外部から指示されている時に前記記憶手段から読出した前記マルチ接続照合データと現在時刻とを照合して前記マルチイベントの有無を判定する処理とを実行し、
前記接続処理にて、前記マルチイベントがあると判定された時に前記マルチ接続を行うことを特徴とする請求項５または請求項６記載の自動マルチ接続方法。
【請求項８】
前記生成処理にて、前記番組プログラムデータを構成するイベント毎に前記マルチ接続を行うためのマルチイベントかどうかを判断し、前記マルチイベントと判断された時にその放送時刻と前記マルチ接続を特定する情報とをマルチ接続照合データ記憶手段に格納することを特徴とする請求項７記載の自動マルチ接続方法。
【発明の詳細な説明】
【技術分野】
【０００１】
本発明は自動番組制御装置及びそれに用いる自動マルチ接続方法に関し、特にテレビ放送局やラジオ放送局の基幹設備である自動番組制御装置におけるマルチ接続機能に関する。
【背景技術】
【０００２】
従来、この種の自動番組制御装置においては、テレビ放送局やラジオ放送局の基幹設備として用いられており、予め入力された番組プログラムデータ（以下、確定運行データとする）に示された放送時刻と放送機器［ＶＴＲ（ビデオテープレコーダ）、ＣＭ（コマーシャル）バンク、番組バンク等］とによって、放送時刻に放送機器を制御することで、テレビ（ラジオ）放送を行う装置である。
【０００３】
また、ディジタル放送では、１つの放送局につき、複数のチャンネル（≒サービス）で放送することが可能であり、それらはサービス１、サービス２・・・と呼ばれている。例えば、サービス１とサービス２とで同時に同じ番組を放送したり、全く別の番組を放送することが可能である。視聴者はテレビのリモートコントローラ（以下、リモコンとする）によって、サービス１やサービス２を選択し、視聴することが可能である。
【０００４】
さらに、野球等のスポーツ番組では、試合状況によって予め番組終了時刻が決まらない場合が多い。このような運用を行うために考えられた機能がマルチ接続機能である。
【０００５】
例えば、新聞の番組欄に「最大２１：３０まで１０分単位に延長あり」と書かれている野球番組を放送する場合には、図３（ａ）に示す定常スケジュールのレギュラファイルに、図３（ｂ）に示すマルチファイルＭＬＴ００１、図４（ａ）に示すマルチファイルＭＬＴ００２、図４（ｂ）に示すマルチファイルＭＬＴ００３の延長部分に対応した複数のマルチファイルを作成し、試合の進行状況によって各マルチファイルＭＬＴ００１，ＭＬＴ００２，ＭＬＴ００３を接続して延長処理を行っている。
【０００６】
図９に示す放送番組スケジュール例に対するマルチ運用について時系列に説明する。この例では１９時から開始される野球番組で、最大「２１時３０分００秒」まで１０分単位に延長される例を示している。
【０００７】
まず、マルチ接続が行われる前（行われない場合）の放送番組スケジュールを図９（ａ）に示す。野球番組は「２０時５９分５９秒」に終了する。「２０時５５分００秒」頃には、まだ野球の試合中のため、放送の延長を行うことを決定する。運用者は、自動番組制御装置の操作端末を操作し、野球番組が「１０分」の延長となるよう操作する。この操作を、通常、マルチ接続と呼び、その操作方法及びマルチ接続の方法としては様々な方法が存在する。マルチ接続を実行すると、図９（ｂ）に示すような放送番組スケジュールに変更される。
【０００８】
「２１時０５分００秒」頃にはまだ野球の試合中のため、さらに放送の延長を行うことを決定する。運用者は、自動番組制御装置の操作端末を操作し、野球番組が「２０分」の延長となるように操作する。再度、マルチ接続を実行すると、図９（ｃ）に示すような放送番組スケジュールに変更される。
【０００９】
「２１時１５分００秒」頃には野球の試合が終了し、以降の延長を行わないことが決定されると、マルチ接続は行われない。以上の動作の流れがマルチ運用である。
【００１０】
従来の自動番組制御装置におけるマルチ接続機能を実装した自動番組制御装置の構成を図１７に示す。図１７において、自動番組制御装置７は確定運行データ記憶部７１と、制御データ生成手段７２と、マルチ接続手段７３と、制御データ記憶部７４と、制御機器制御手段７５と、放送番組スケジュールデータ記憶部７６とから構成されている。また、自動番組制御装置７には自動番組制御装置端末２の確定運行データ入力画面２１と、自動番組制御装置端末８のマルチ接続画面８１とが接続されている。
【００１１】
運用者はマルチ接続を行う場合、野球等のスポーツ番組の進行状況に合わせ、自動番組制御装置端末２のマルチ接続画面２１を操作し、該当するマルチ接続を行う。一般的には、マルチファイルの指定や予め設定しているマルチ接続番号を指定してマルチ接続を行う。
【００１２】
上記のマルチ接続の処理・操作以外にも、マルチ接続するデータをプリセットし、マルチ接続を行う度にボタンの押し下げによって番組データの切替えを行う方法（例えば、特許文献１参照）、番組の放送時間の延長時、それ以降の番組の開始時刻を定時放送番組を除いてシフトする方法（例えば、特許文献２参照）、放送サービスの番組変更、時間延長、タイムシフトの編成変更指示（操作方法については記述なし）に対し、他の関連性のある複数のサービスに自動反映する（例えば、サービス１の変更を自動的にサービス２に反映する）方法（例えば、特許文献３参照）、放送時刻の延長が想定される番組に対して、放送進行データとして最大延長時間を持ったデータを作成し、受信機側の番組予約等、ＥＩＴを利用した機能を正常に動作させるＥＩＴを生成する方法（例えば、特許文献４参照）等が提案されている。
【００１３】
【特許文献１】特開平１０−６５９７０号公報
【特許文献２】特開平８−３１６９２７号公報
【特許文献３】特開２００４−１２０１１４号公報
【特許文献４】特開２００３−２２９８２７号公報
【発明の開示】
【発明が解決しようとする課題】
【００１４】
上述した従来の自動番組制御装置では、延長の単位で確定運行データのマルチファイルを生成しているため、番組延長の度に運用者がマルチ接続の操作を行う必要があるという問題がある。上記の例では、２０分延長の場合、２回の操作を行う必要がある。但し、確定運行データの生成内容を変更すると、運用者の運用方法を大きく変える必要がある。
【００１５】
また、従来の自動番組制御装置では、確定運行データとしてサービス単位でマルチファイルを生成しているため、ディジタル放送の場合、複数の放送サービスを行うことが可能であるが、同じ番組を複数のサービスで放送している場合、サービス単位にマルチ接続の操作を行う必要がある。上記の例では、３つのサービスで同じ番組を放送している場合、２回×３サービス＝６回の操作を行う必要がある。但し、この場合も、確定運行データの生成内容を変更すると、運用者の運用方法を大きく変える必要がある。
【００１６】
そこで、本発明の目的は上記の問題点を解消し、運用者の操作を極力減らして運用負荷を低減することができ、運用者の人数を少なくすることによる人件費の削減や運用者の操作ミスによる放送事故をなくすことができる自動番組制御装置及びそれに用いる自動マルチ接続方法を提供することにある。
【課題を解決するための手段】
【００１７】
本発明による自動番組制御装置は、予め入力された番組プログラムデータに示された放送時刻と放送機器とによって前記放送時刻に前記放送機器を制御して放送を行う装置において、終了時刻が不確定な放送に対応するためにマルチ接続を行う自動番組制御装置であって、
前記マルチ接続を自動で行うよう外部から指示されている時に前記マルチ接続を行うためのマルチイベントで指定された放送時刻に前記マルチ接続を行う接続手段を備えている。
【００１８】
本発明による自動マルチ接続方法は、予め入力された番組プログラムデータに示された放送時刻と放送機器とによって前記放送時刻に前記放送機器を制御して放送を行う装置において、終了時刻が不確定な放送に対応するためにマルチ接続を行う自動番組制御装置に用いる自動マルチ接続方法であって、前記自動番組制御装置が、前記マルチ接続を自動で行うよう外部から指示されている時に前記マルチ接続を行うためのマルチイベントで指定された放送時刻に前記マルチ接続を行う接続処理を実行している。
【００１９】
すなわち、本発明の自動番組制御装置は、操作卓にある自動マルチ接続ボタン情報を読取り、確定運行データのマルチ情報イベントデータによって放送時刻になると、自動的にマルチ接続を行う機能を有することを特徴とする。
【００２０】
野球等のスポーツ番組で番組終了時刻が不確定な番組に対応するためにマルチ運用を行う手段としては、様々な方法があるが、本発明の自動番組制御装置では、既存の確定運行データの内容を大きく変更せず、マルチ接続を自動的に行うことによって、運用者の操作を極力減らし、運用負荷を低減し、運用者の人数を少なくすることによる人件費の削減、また運用者の操作ミスによる放送事故をなくすことが可能となる。
【００２１】
より具体的に説明すると、本発明の自動番組制御装置では、操作卓の自動マルチ接続ボタンの情報を読取り、自動接続ＯＮ中の場合、確定運行データのマルチ情報に応じて自動的にマルチ接続を行うことによって、スポーツ番組の延長に伴うマルチ接続をボタン１つの操作で自動的に接続されることになる。
【００２２】
また、本発明の自動番組制御装置では、操作卓のサービスボタンと自動接続ボタンの情報とを読取り、自動接続ＯＮ中の場合、確定運行データのマルチ情報に応じて自動的にマルチ接続を行うことによって、複数のサービスで同じ番組を放送する場合も、操作卓のボタンで自動的に接続されることになる。
【発明の効果】
【００２３】
本発明は、以下に述べるような構成及び動作とすることで、運用者の操作を極力減らして運用負荷を低減することができ、運用者の人数を少なくすることによる人件費の削減や運用者の操作ミスによる放送事故をなくすことができるという効果が得られる。
【発明を実施するための最良の形態】
【００２４】
次に、本発明の実施例について図面を参照して説明する。図１は本発明の一実施例による自動番組制御装置の構成を示すブロック図である。図１において、自動番組制御装置１は確定運行データ記憶部１１と、制御データ生成手段１２と、マルチ接続照合データ生成手段１３と、マルチ接続手段１４と、制御データ記憶部１５と、制御機器制御手段１６と、自動マルチ接続手段１７と、マルチ接続照合データ記憶部１８と、放送番組スケジュールデータ記憶部１９とから構成されている。
【００２５】
また、自動番組制御装置１は自動番組制御装置端末２の確定運行データ入力画面２１と、時計装置３と、操作卓４のサービス（１〜ｎ）自動マルチ接続ボタン４１−１〜４１−ｎと、自動番組制御装置端末５の自動マルチ接続時間設定画面５１と、ＶＴＲ（ビデオテープレコーダ）等の各種制御機器６都にそれぞれ接続されている。尚、サービス（１〜ｎ）自動マルチ接続ボタン４１−１〜４１−ｎについては、自動番組制御装置１が制御する放送サービス数と同じ個数のボタンとなっている。
【００２６】
図２は本発明の一実施例による自動番組制御装置１への確定運行データ入力処理を示すフローチャートであり、図３〜図６は本発明の一実施例における確定運行データ例を示す図である。
【００２７】
また、図７及び図８は本発明の一実施例におけるマルチ接続を示す確定運行データ及び放送番組スケジュールデータの一例を示す図であり、図９は本発明の一実施例における放送番組スケジュール例を示す図であり、図１０及び図１１は本発明の一実施例における制御データ例を示す図であり、図１２は本発明の一実施例におけるマルチ接続照合データ例を示す図である。
【００２８】
さらに、図１３は本発明の一実施例における自動マルチ接続手段１７の処理をフローチャートであり、図１４は本発明の一実施例におけるマルチ接続手段１４の処理を示すフローチャートであり、図１５は本発明の一実施例における制御データ生成手段１２の処理を示すフローフローチャートであり、図１６は本発明の一実施例におけるマルチ接続照合データ生成手段１３の処理を示すフローチャートである。これら図１〜図１６を参照して本発明の一実施例による自動番組制御装置１について説明する。
【００２９】
まず、本実施例の動作を説明するに当たり、各種データの説明、自動番組制御装置１で使用する用語、基本的な動作について以下に説明する。最初に、確定運行データについて説明する。
【００３０】
確定運行データは放送する番組を構成するイベントをファイル単位に放送順に並べたデータで、図３〜図６にその一例を示す。１日分の確定運行データはレギュラファイル［図３（ａ）及び図５（ａ）参照］と、複数のマルチファイル｛マルチファイルＭＬＴ００１［図３（ｂ）及び図５（ｂ）参照］、マルチファイルＭＬＴ００２［図４（ａ）及び図６（ａ）参照］、マルチファイルＭＬＴ００３［図４（ｂ）及び図６（ｂ）参照］｝とから構成され、サービス単位にサービスの数分のファイルから構成される。
【００３１】
放送局では複数のサービスの放送が可能であり、本実施例では、サービス１とサービス２との２つのサービスで構成される例としているが、それ以上であっても本実施例を適用することは可能である。
【００３２】
図３（ａ）及び図５（ａ）に示すレギュラファイルは、定常の放送番組スケジュールを示し［図９（ａ）参照］、図３（ｂ）及び図４（ａ），（ｂ）と図５（ｂ）及び図６（ａ），（ｂ）にそれぞれ示すマルチファイルは、スポーツ番組の延長や中止、早終わりに対応するための放送番組スケジュールを示している［図９（ａ）〜（ｄ）参照］。本実施例では、サービス１のみマルチファイルが存在する例としている。
【００３３】
上述した各ファイルは、番組イベントＡ５と、イベントＡ６と、マルチイベントＡ７とで構成され、１つのファイルは複数の番組イベントＡ５で構成され、１つの番組イベントＡ５はその番組を構成する複数のイベントＡ６及びマルチイベントＡ７で構成されている［図３（ａ）参照］。
【００３４】
各番組イベントＡ５は番組開始時刻Ａ１、番組名Ａ８、・・・・といったデータ項目で構成され、各イベントＡ６は放送時刻Ａ１、制御データＡ２、・・・・といったデータ項目で構成され、マルチイベントＡ７は放送時刻Ａ１、マルチ情報を示すマルチ接続区分Ａ３、マルチ接続番号Ａ４、・・・・といったデータで構成されて放送時刻順に並べられている。本来、確定運行データには運用で使用する多種多様なデータ項目で構成されるが、図３〜図６に示す例では、本実施例に関係するデータのみとしている。
【００３５】
図３〜図６に示す例での各データ項目について説明する。放送時刻Ａ１はそのイベントを制御する時刻を示し、番組イベントＡ５、イベントＡ６、マルチイベントＡ７にそれぞれ付加される。「１９：００：００」とは１９時００分００秒にこのイベントが制御されることを示す。尚、通常、制御されることを発効という。
【００３６】
番組イベントＡ５には放送時刻Ａ１の他、その番組の名称を示す番組名称Ａ８が付加されている。イベントＡ６には放送時刻Ａ１の他、ＶＴＲ等の各種制御機器６の機器装置を制御するために必要なデータ項目を示す制御データＡ２が付加されている。制御データＡ２は、接続される制御機器によって色々なデータが必要となる。
【００３７】
マルチイベントＡ７には放送時刻Ａ１の他、ＭＬＦ、ＭＬＴ、ＥＤＦ、ＥＤＴのマルチ接続ポイントを示すマルチ接続区分Ａ３及びマルチ接続番号Ａ４が付加されている。マルチ接続番号Ａ４は、１０分延長や２０分延長、及び３０分延長等の放送番組スケジュールのパターンによって複数の接続ポイントを準備する必要があるため、「０１」〜「９９」の番号で示している。その詳細については後述するマルチ接続処理において説明する。
【００３８】
次に、本実施例によるマルチ接続について図７及び図８を用いて説明する。尚、マルチ接続の方法については、一般的に様々な方法があり、図７及び図８に示す例はその一例である。
【００３９】
マルチ接続は予め設定されたＭＬＦ［図７のイベント１］、ＭＬＴ［図７のイベント３］、ＥＤＦ［図７のイベント４］、ＥＤＴ［図７のイベント２］の４つのポイントをスポーツ番組の延長等必要に応じて接続することによって、スポーツ番組の延長部分に対応する放送番組スケジュールデータを生成する。
【００４０】
マルチ接続の４つのポイントはＭＬＦ、ＭＬＴ、ＥＤＦ、ＥＤＴのマルチ接続区分と、「０１」〜「９９」のマルチ接続番号とで構成されている。放送番組スケジュールは番組の進行状況（例えば、野球の試合の状況）によって、複数の放送番組スケジュールパターン（１０分延長や２０分延長等）が必要となり、各放送番組スケジュールパターンに合った放送運行データをマルチファイルとして作成している。この複数のパターンをマルチ接続番号で区別するのである。
【００４１】
例えば、図７の放送番組スケジュールデータＢ１と、確定運行データ（ＭＬＴ００１マルチファイル）Ｂ２と、確定運行データ（ＭＬＴ００２マルチファイル）Ｂ３とにおいて、マルチ接続前は、マルチ接続前の放送番組スケジュール順番Ｂ４で示す順番で各イベントが放送される。
【００４２】
しかしながら、マルチ接続番号０１のマルチ接続を実行すると（自動番組制御装置操作端末を操作することで実行するが、操作例については本発明とは直接関係ないため、その説明を省略する）、マルチ接続後の放送番組スケジュール順番Ｂ５が示す順番にイベントが放送され、図８に示す放送番組スケジュールデータＢ６が生成される。また、放送番組スケジュールの変更に伴い、図１０（ｂ）に示す制御データが生成される。この時の放送番組スケジュールを図９（ｂ）に示す。
【００４３】
続いて、制御データについて説明する。制御データは、自動番組制御装置１がＶＴＲ等の各種制御機器６を制御するためのデータであり、サービス単位に放送時間順に制御内容が示されている。制御データの生成タイミングは、自動番組制御装置操作端末２の確定運行データ入力画面２１から確定運行データを読込んだ場合と、マルチ接続手段１４でマルチ接続が行われた場合との２つのタイミングで、制御データ生成手段１２にて生成される。
【００４４】
図３（ａ）に示す確定運行データから図１０（ａ）の制御データが生成される。尚、図１０（ａ），（ｂ）及び図１１（ａ）において、放送時刻は制御する時刻を時・分・秒で示し、制御内容はＶＴＲ等の各種制御機器６を制御する制御内容が記録されている。また、制御内容において、「スイッチャ制御」は該当映像素材、音声素材の出力をオンエアするために切替えるコマンドを、「スタート制御」はＶＴＲ等の映像・音声記録メディアをスタートするコマンドをそれぞれ示している。
【００４５】
次に、マルチ接続照合データについて説明する。マルチ接続照合データは、サービス単位にマルチ接続を実行する時刻と、マルチマルチ接続番号とからなる。図１２にその一例を示す。
【００４６】
マルチ接続照合データの生成タイミングは、自動番組制御装置操作端末２の確定運行データ入力画面２１から確定運行データを読込んだタイミングで、マルチ接続照合データ生成手段１３にて生成され、マルチ接続照合データ記憶部１８に格納される。図３（ａ），（ｂ）、図４（ａ），（ｂ）、図５（ａ），（ｂ）、図６（ａ），（ｂ）にそれぞれ示す確定運行データの各ファイルから生成されるマルチ接続照合データを図１２に示す。
【００４７】
以下、図１〜図１６を参照して本発明の一実施例による自動番組制御装置１の動作について説明する。尚、図２と図１３〜図１６とに示す処理は自動番組制御装置１の主構成を図示せぬＣＰＵ（中央処理装置）及びメモリとした場合、ＣＰＵがメモリのプログラムを実行することでも実現可能である。
【００４８】
放送番組のスケジュールを示す確定運行データはＥＤＰＳ（Ｅｑｕｉｐｍｅｎｔ  Ｄａｔａ  Ｐｒｏｃｅｓｓｉｎｇ  Ｓｙｓｔｅｍ）等の上位システムで生成され、自動番組制御装置端末２の確定運行データ入力画面２１から入力される。
【００４９】
この入力処理について、図２を参照して説明する。自動番組制御装置端末２の確定運行データ入力画面２１から確定運行データが入力されると（図２ステップＳ１）、自動番組制御装置１は入力される確定運行データのサービスを取得し（図２ステップＳ２）、サービス単位に以降の処理を行う。
【００５０】
自動番組制御装置１はその確定運行データを確定運行データ記憶部１１に格納し（図２ステップＳ３）、確定運行データの各サービスの定常運用ファイルであるレギュラファイルの全ての番組イベント、イベント、マルチイベントを放送番組スケジュールデータ記憶部１９に格納する（図２ステップＳ４）。
【００５１】
その後に、自動番組制御装置１は制御データ生成手段１２で放送番組スケジュールデータから制御データの生成を行い、生成した制御データを制御データ記憶部１５に格納する（図２ステップＳ５）（制御データ生成手段１２の処理については後述する）。
【００５２】
また、自動番組制御装置１はマルチ接続照合データ生成手段１３で放送番組スケジュールデータからマルチ接続照合データを生成し、その生成したマルチ接続照合データをマルチ接続照合データ記憶部１８に格納する（図２ステップＳ６）（マルチ接続照合データ生成手段１３の処理については後述する）。
【００５３】
最後に、自動番組制御装置１はステップＳ７にて、入力するサービスがあるかどうかを判定し、入力するサービスがあれば、上記のステップＳ３に戻って処理を続行し、この処理を入力するサービスがなくなるまで繰り返す。また、自動番組制御装置１は入力するサービスがなければ、この処理を終了する。
【００５４】
次に、制御データ生成手段１２の処理について図１５を参照して説明する。制御データ生成手段１２はサービス単位に起動され、まず初めに放送番組スケジュールデータ記憶部１９の先頭のイベントを読込み（図１５ステップＳ３１）、このイベントから制御に必要な制御データをサービス単位生成し（図１５ステップＳ３２）、生成された制御データを制御データ記憶部１５に格納する（図１５ステップＳ３３）。
【００５５】
続いて、制御データ生成手段１２は放送番組スケジュールデータ記憶部１９から読込んだイベントが放送番組スケジュールデータの最終イベントかどうかの判定を行う（図１５ステップＳ３４）。制御データ生成手段１２は最終イベントであれば処理を終了し、最終イベントでなければ放送番組スケジュールデータ記憶部１９から次の放送番組スケジュールデータを読込み（図１５ステップＳ３５）、放送番組スケジュールデータ記憶部１９から読込んだイベントが最終イベントになるまで、上記の処理を繰り返し行う。
【００５６】
マルチ接続照合データ生成手段１３の処理について図１６を参照して説明する。マルチ接続照合データ生成手段１３はサービス単位に起動され、まず初めにサービス単位に放送番組スケジュールデータ記憶部１９の先頭のイベントを読込み（図１６ステップＳ４１）、このイベントがＭＬＦマルチイベントかどうかを判断する（図１６ステップＳ４２）。
【００５７】
マルチ接続照合データ生成手段１３はＭＬＦマルチイベントであれば、サービス単位に放送時刻とマルチ接続番号とをマルチ接続照合データ記憶部１８に格納する（図１６ステップＳ４３）。マルチ接続照合データ生成手段１３はＭＬＦマルチイベントでなければ、あるいはマルチ接続照合データ記憶部１８への格納を行った後に、放送番組スケジュールデータ記憶部１９から読込んだイベントが放送番組スケジュールデータの最終イベントかどうかを判断する（図１６ステップＳ４４）。
【００５８】
マルチ接続照合データ生成手段１３は最終イベントであれば処理を終了し、最終イベントでなければ放送番組スケジュールデータ記憶部１９から次の放送番組スケジュールデータを読込み（図１６ステップＳ４５）、最終イベントになるまで、上記の処理を繰り返し行う。
【００５９】
制御機器制御手段１６及び自動マルチ接続手段１７は時計装置３から１秒毎に起動される。制御機器制御手段１６は時計装置３から時間、分、秒の現在時刻を読込み、制御データ記憶部１５の放送時刻と照合し、該当データがあれば制御内容にしたがってＶＴＲ等の各種制御機器６を制御し、放送番組をスケジュール通りに送出する。
【００６０】
次に、本実施例による自動マルチ接続機能について説明する。自動マルチ接続手段１７は時計装置３から１秒毎に起動される。起動後の処理について、図１３を参照して説明する。サービス（１〜ｎ）自動マルチ接続ボタン４１−１〜４１−ｎは複数設置されているが、図１３に示す処理は１つの自動マルチ接続ボタンに対応した流れを示している。尚、２つの放送サービス、例えばサービス１とサービス２とがある場合には、文中のサービスｎはサービス１またはサービス２をさしている。
【００６１】
自動マルチ接続手段１７は起動されると、操作卓４のサービス（１〜ｎ）自動マルチ接続ボタン４１−１〜４１−ｎのＯＮ（自動マルチ接続する）／ＯＦＦ（自動マルチ接続しない）情報を読込み（図１３ステップＳ１１）、自動マルチ接続ボタン情報のＯＮ／ＯＦＦを判断する（図１３ステップＳ１２）。
【００６２】
自動マルチ接続手段１７はサービス１自動マルチ接続ボタン４１−１がＯＮ状態であれば、現在時刻（起動された時刻）とマルチ接続照合データとの照合処理を行うため、時計装置３から現在時刻の読込みを行う（図１３ステップＳ１３）。また、自動マルチ接続手段１７はサービス１自動マルチ接続ボタン４１−１がＯＦＦ状態であれば、自動マルチ接続を行わないため、処理を終了する。
【００６３】
ＶＴＲ等の各種制御機器６は事前に制御が必要な機器があること、マルチ接続データや制御データの生成に時間が必要なことから、マルチ接続はマルチイベントＡ７で指定された放送時刻の数分前に実行する必要があり、自動番組制御装置端末５の自動マルチ接続時間設定画面５１で予め運用に合わせた時間の設定を行う。この画面で２分００秒と設定すると、マルチイベントＡ７で指定された放送時刻の２分００秒前にマルチ接続が実行されるのである。
【００６４】
自動マルチ接続手段１７は上記の機能を実現するために、時計装置３から読込んだ現在時刻に自動番組制御装置端末５の自動マルチ接続時間設定画面５１で設定されている時間を加算する（図１３ステップＳ１４）。尚、この計算で求めた時間は、便宜上、自動マルチ接続時刻と呼ぶ。
【００６５】
自動マルチ接続手段１７はマルチ接続照合データ記憶部１８からサービス１のマルチ接続照合データを読込み（図１３ステップＳ１５）、マルチ接続照合データの放送時刻と上記のステップＳ１４の処理で計算した自動マルチ接続時刻とを照合し、マルチ接続照合データに同じ時刻のイベントがあるかどうかを照合する（図１３ステップＳ１６）。
【００６６】
自動マルチ接続手段１７は照合の結果、同じ時刻のイベントがなければ、この処理を終了する。また、自動マルチ接続手段１７は照合の結果、同じ時刻のイベントがあれば、マルチ接続を行うマルチ接続番号を求めるため、同じ時刻のイベント（自動マルチ接続時刻と同じ放送時刻のマルチ接続照合イベント）のマルチ接続番号を取得し（図１３ステップＳ１７）、このマルチ接続番号をマルチ接続手段１２に指定してマルチ接続を行う（図１３ステップＳ１８）。
【００６７】
この後に、自動マルチ接続手段１７は制御データ生成手段１２で制御データの生成を行い（図１３ステップＳ１９）、マルチ接続照合データ生成手段１３でマルチ接続照合データを生成し（図１３ステップＳ２０）、処理を終了する。
【００６８】
マルチ接続処理について、図１４を参照して図７及び図８に示すデータ例の場合を説明する。マルチ接続手段１４はサービス単位に起動され、まず初めに確定運行データ記憶部１１からサービス単位に確定運行データを、放送番組スケジュールデータ記憶部１９からサービス単位に放送番組スケジュールデータをそれぞれ読込む（図１４ステップＳ２１，Ｓ２２）。
【００６９】
マルチ接続手段１４は上記の処理で読込んだ放送番組スケジュールデータのマルチ接続するマルチ接続番号のＭＬＦマルチイベント（図７のイベント１）の次イベントに確定運行データのマルチ接続するマルチ接続番号のＭＬＴマルチイベント（図７のイベント３）からＥＤＦマルチイベント（図７のイベント４）までの全ての番組イベント、イベント、マルチイベント（図７のイベント５）を追加する（図１４ステップＳ２３）。
【００７０】
次に、マルチ接続手段１４は放送番組スケジュールデータに確定運行データから新しく追加されたマルチ接続するマルチ接続番号のＥＤＦマルチイベント（図７のイベント４）の放送時刻から、放送番組スケジュールデータのマルチ接続するマルチ接続番号のＥＤＴマルチイベント（図７のイベント２）の放送時刻を引き算し、タイムシフト時間を求める（図１４ステップＳ２４）。
【００７１】
マルチ接続手段１４は放送番組スケジュールデータのマルチ接続するマルチ接続番号のＥＤＴマルチイベント（図７のイベント２）以降の全ての番組イベント、イベント、マルチイベント（図７のイベント６）の放送時刻に上記のステップＳ２４で求めたタイムシフト時間を加算する（図１４ステップＳ２５）。一般に、この処理をタイムシフトという。以上の処理によって、上述したマルチ接続処理が終了する。
【００７２】
次に、本実施例の効果について具体的に説明する。この効果を具体的に説明するに当たり、まず初めに各データについて説明する。図９に示す放送番組スケジュールはサービス１とサービス２との２つの放送サービスを放送する例で、サービス１は１９時からの野球番組で、１０分単位に最大２１時３０分までの延長を行う。サービス２については延長等のマルチ接続運用はなく、１９時からドキュメント番組、２１時からドラマをそれぞれ放送するものである。
【００７３】
図９（ａ）には各サービスの定常の放送番組スケジュールを示し、図９（ｂ）にはサービス１の野球番組を１０分延長した放送番組スケジュールを示し、図９（ｃ）にはサービス１の野球番組を２０分延長した放送番組スケジュールを示し、図９（ｄ）にはサービス１の野球番組を３０分延長した放送番組スケジュールを示している。
【００７４】
図９に示す放送番組スケジュールの確定運行データを図３〜図６に示す。サービス１の野球番組に対応するため、レギュラファイル［図３（ａ）参照］のほか、ＭＬＴ００１ファイル［図３（ｂ）参照］と、ＭＬＴ００２ファイル［図４（ａ）参照］と、ＭＬＴ００３ファイル［図４（ｂ）参照］の３つのマルチファイルが必要となる。
【００７５】
確定運行データを入力するため、自動番組制御装置端末２の確定運行データ入力画面２１を開いてデータを入力すると、自動番組制御装置１はサービス１のレギュラファイル［図３（ａ）参照］と、ＭＬＴ００１ファイル［図３（ｂ）参照］と、ＭＬＴ００２ファイル［図４（ａ）参照］と、ＭＬＴ００３ファイル［図４（ｂ）参照］とのファイルが確定運行データ記憶部１１に格納する。
【００７６】
自動番組制御装置１はサービス１のレギュラファイル［図３（ａ）参照］を放送番組スケジュールデータ記憶部１９に格納し、制御データ生成手段１２で制御データ［図１０（ａ）参照］を生成し、マルチ接続照合データ生成手段１３でマルチ接続照合データ［図１２（ａ）参照］を生成する。
【００７７】
同様に、自動番組制御装置１はサービス２のレギュラファイル［図５（ａ）参照］を放送番組スケジュールデータ記憶部１９に格納し、制御データ生成手段１２で制御データ［図１１（ｂ）参照］を生成し、マルチ接続照合データ生成手段１３でマルチ接続照合データ［図１２（ｂ）参照］を生成する。
【００７８】
本実施例による自動マルチ接続機能の動作について時系列に説明する。運用者は自動番組制御装置端末５の自動マルチ接続時間設定画面５１を開いて「０２：００」と入力し、２分前に自動マルチ接続が行われるよう設定する。
【００７９】
「２０時５５分００秒」頃にはまだ野球の試合中であるので、運用者は放送の延長を行うことを決定し、操作卓４のサービス１自動マルチ接続ボタン４１−１を押し下げてＯＮ状態にする。
【００８０】
「２０時５５分００秒」から「２０時２７分５８秒」までの間、サービス１自動マルチ接続ボタン４１−１がＯＮ状態となると、自動マルチ接続手段１７は上記のステップＳ１２の判断で自動マルチ接続ボタン情報がＯＮ状態と認識し、ステップＳ１３にて照合データと現在時刻との照合を開始する。
【００８１】
自動マルチ接続手段１７はまず初めに時計装置３から現在時刻を読込み（図１３ステップＳ１３）、自動マルチ接続時刻を求める（図１３ステップＳ１４）。この場合には、現在時刻を「２０時５５分００秒」とすると、「２０時５５分００秒」（現在時刻）＋「２分」（マルチ接続時間設定画面５１の設定値）＝「２０時５７分００秒」となる。
【００８２】
自動マルチ接続手段１７はマルチ接続照合データ記憶部１８からサービス１のマルチ接続照合データ［図１２（ａ）参照］を読込み（図１３ステップＳ１５）、それらの時間が同じイベントがあるかの照合を行うが（図１３ステップＳ１６）、マルチ接続照合データ［図１２（ａ）参照］のイベントの放送時刻が「２０時５９分５９秒」となっており、ステップＳ１４で求めた自動マルチ接続時刻「２０時５７分００秒」と異なるため、処理を終了する。
【００８３】
「２０時５７分５９秒」に、自動マルチ接続手段１７は時計装置３から現在時刻を読込み（図１３ステップＳ１３）、自動マルチ接続時刻を求める（図１３ステップＳ１４）。この場合には、現在時刻が「２０時５７分５９秒」になると、「２０時５７分５９秒」（現在時刻）＋「２分」（マルチ接続時間設定画面５１の設定値）＝「２０時５９分５９秒」となり、マルチ接続照合データ［図１２（ａ）参照］のイベントと同じ放送時刻になるため、その照合結果が同じ時刻のイベントありとなる。自動マルチ接続手段１７はマルチ接続番号の取得を行い（図１３ステップＳ１７）、図１２（ａ）に示すイベントのマルチ接続番号「０１」を取得する。
【００８４】
この後に、自動番組制御装置１ではマルチ接続を行う。ここからは、図１４に示す処理の流れで説明する。マルチ接続手段１４はサービス１の確定運行データの読込みと、サービス１の放送番組スケジュールデータの読込みとを行う（図１４ステップＳ２１，Ｓ２２）。この読込まれた確定運行データと放送番組スケジュールデータとを図７に示す。
【００８５】
マルチ接続手段１４は放送番組スケジュールデータのＭＬＦマルチイベント（図７のイベント１）以降に、サービス１ＭＬＴ００１確定運行データファイルＢ２のイベント３からイベント４までのイベント（図７のイベント５）を追加する（図１４ステップＳ２３）。
【００８６】
また、マルチ接続手段１４はタイムシフト時間を計算する（図１４ステップＳ２４）。確定運行データのＥＤＦ−０１マルチイベント（図７のイベント４）の放送時刻「２１時０９分５９秒」から放送番組スケジュールデータのＥＤＴ−０１マルチイベント（図７のイベント２）の放送時刻「２０時５９分５９秒」を引き算すると、「２１時０９分５９秒」−「２０時５９分５９秒」＝「１０分００秒」となる。
【００８７】
よって、マルチ接続手段１４はタイムシフト処理を行う（図１４ステップＳ２５）。放送番組スケジュールデータのＥＤＴ−０１マルチイベント（図７のイベント２）以降の全てのイベントの放送時刻にス、上記の処理で求めたタイムシフト時間＝「１０分００秒」を加算する。タイムシフト時間を加算した結果は、図８に示す。これによって、マルチ接続手段１４は図１４に示すマルチ接続処理を終了する。
【００８８】
ここからは、再び図１３に示す処理に戻って説明する。自動番組制御装置１はマルチ接続処理が完了すると、制御データ生成手段１２で制御データの生成を行う（図１３ステップＳ１９）。作成された制御データを図１０（ｂ）に示す。
【００８９】
次に、自動番組制御装置１はマルチ接続照合データ生成手段１３でマルチ接続照合データを生成する。このタイミングで生成されるマルチ接続照合データは図１２（ｃ）に示すように、「２０：５９：５９」及び「０１」のイベントと、「２１：０９：５９」及び「０２」のイベントとの２件のイベントとなる。
【００９０】
「２０時５８分００秒」から「２１時０７分５８秒」までの間、引き続き野球の試合を行っているので、運用者は２０分延長を決定するが、その操作は特に行わない（サービス１自動マルチ接続ボタン４１−１はＯＮ状態のまま）。自動マルチ接続手段１７では自動マルチ接続時刻が「２１時０７分５９秒」になるまで、ステップＳ１６の判断で「同じ時刻のイベントなし」となって、処理を終了する。
【００９１】
「２１時０７分５９秒」になると、自動マルチ接続手段１７は「同じ時刻のイベントあり」となるため（図１３ステップＳ１６）、マルチ接続を実施する（図１３ステップＳ１８）。この処理内容については、上述した「２０時５７分５９秒」の処理と同様なため、その説明を省略する。
【００９２】
「２１時１５分００秒」頃には、野球の試合が終了するので、これ以上の延長を行わないことを決定したため（２０分延長で終わり）、運用者は操作卓４のサービス１自動マルチ接続ボタン４１−１に対してＯＦＦ操作を行う。これ以降は、自動マルチ接続手段１７では、サービス１自動マルチ接続ボタン４１−１の判断がＯＦＦ状態となり（図１３ステップＳ１２）、処理を終了する。
【図面の簡単な説明】
【００９３】
【図１】本発明の一実施例による自動番組制御装置の構成を示すブロック図である。
【図２】本発明の一実施例による自動番組制御装置１への確定運行データ入力処理を示すフローチャートである。
【図３】本発明の一実施例における確定運行データ例を示す図である。
【図４】本発明の一実施例における確定運行データ例を示す図である。
【図５】本発明の一実施例における確定運行データ例を示す図である。
【図６】本発明の一実施例における確定運行データ例を示す図である。
【図７】本発明の一実施例におけるマルチ接続を示す確定運行データ及び放送番組スケジュールデータの一例を示す図である。
【図８】本発明の一実施例におけるマルチ接続を示す確定運行データ及び放送番組スケジュールデータの一例を示す図である。
【図９】本発明の一実施例における放送番組スケジュール例を示す図である。
【図１０】本発明の一実施例における制御データ例を示す図である。
【図１１】本発明の一実施例における制御データ例を示す図である。
【図１２】本発明の一実施例におけるマルチ接続照合データ例を示す図である。
【図１３】本発明の一実施例における自動マルチ接続手段の処理をフローチャートである。
【図１４】本発明の一実施例におけるマルチ接続手段の処理を示すフローチャートである。
【図１５】本発明の一実施例における制御データ生成手段の処理を示すフローフローチャートである。
【図１６】本発明の一実施例におけるマルチ接続照合データ生成手段の処理を示すフローチャートである。
【図１７】従来例による自動番組制御装置の構成を示すブロック図
【符号の説明】
【００９４】
１  自動番組制御装置
２，５  自動番組制御装置端末
３  時計装置
４  操作卓
６  ＶＴＲ等の各種制御機器
１１  確定運行データ記憶部
１２  制御データ生成手段
１３  マルチ接続照合データ生成手段
１４  マルチ接続手段
１５  制御データ記憶部
１６  制御機器制御手段
１７  自動マルチ接続手段
１８  マルチ接続照合データ記憶部
１９  放送番組スケジュールデータ記憶部
Ａ１  放送時刻
Ａ２  制御データ
Ａ３  マルチ接続区分
Ａ４  マルチ接続番号
Ａ５  番組イベント
Ａ６  イベント
Ａ７  マルチイベント
Ｂ１  サービス１放送番組スケジュールデータ
Ｂ２  確定運行データサービス１ＭＬＴ００１ファイル
Ｂ３  確定運行データサービス１ＭＬＴ００２ファイル
Ｂ４  マルチ接続前の放送番組スケジュール順番
Ｂ５  マルチ接続後の放送番組スケジュール順番
Ｂ６  サービス１放送番組スケジュールデータ
２１  確定運行データ入力画面
４１−１〜４１−ｎ  サービス（１〜ｎ）自動マルチ接続ボタン
５１  自動マルチ接続時間設定画面
【図１】
2006270277.tif 000003
【図２】
2006270277.tif 000004
【図３】
2006270277.tif 000005
【図４】
2006270277.tif 000006
【図５】
2006270277.tif 000007
【図６】
2006270277.tif 000008
【図７】
2006270277.tif 000009
【図８】
2006270277.tif 000010
【図９】
2006270277.tif 000011
【図１０】
2006270277.tif 000012
【図１１】
2006270277.tif 000013
【図１２】
2006270277.tif 000014
【図１３】
2006270277.tif 000015
【図１４】
2006270277.tif 000016
【図１５】
2006270277.tif 000017
【図１６】
2006270277.tif 000018
【図１７】
2006270277.tif 000019